(57)【要約】【課題】既存のカギを活用して安価にカギ装置となし、これ等の現在位置を特定して、カギ装置を容易かつ確実に管理する。【解決手段】カギ装置３０は一方の保持体３１と、一方の保持体３１にヒンジ部３２を介して連結された他方の保持体３３とを備えている。一方の保持体３１と他方の保持体３３との間にカギ４０およびインレット２０が挟持されている。インレット２０はインレット基材２１と、インレット基材２１上に設けられたＩＣチップ２２およびアンテナ２３とを有し、ＩＣチップ２２およびアンテナ２３上にカバー層２４が設けられている。【選択図】図１
2013181372.tif 000002
【特許請求の範囲】
【請求項１】
一方の保持体と、
一方の保持体にヒンジ部を介して連結された他方の保持体と、
一方の保持体と他方の保持体との間に挟持されたカギおよびＩＣチップを含むインレットとを備えたことを特徴とするカギ装置。
【請求項２】
一方の保持体および他方の保持体のいずれか一方にインレット用凹部が形成され、インレットはこのインレット用凹部内に収納されていることを特徴とする請求項１記載のカギ装置。
【請求項３】
インレットはインレット基材と、インレット基材上に設けられたＩＣチップおよびアンテナとを含むことを特徴とする請求項１または２記載のカギ装置。
【請求項４】
一方の保持体および他方の保持体に連結ひもを挿通する開孔が形成されていることを特徴とする請求項１乃至３のいずれか記載のカギ装置。
【請求項５】
一方の保持体および他方の保持体に形成された開孔は、互いに嵌合可能となっていることを特徴とする請求項４記載のカギ装置。
【発明の詳細な説明】
【技術分野】
【０００１】
本発明はカギを内蔵したカギ装置に係り、とりわけその保管場所を容易に特定することができるカギ装置に関する。
【背景技術】
【０００２】
一般に工場、会社等ではカギを内蔵したカギ装置が用いられている。このようなカギ装置は、カギ保管箱に収納され、使用者はこのカギ保管箱からカギ装置を取出して、所望の扉等を開閉する。使用者はその後カギ装置をカギ保管箱に戻している。
【０００３】
ところで、工場、会社等では多数の使用者がカギ装置を使用する場合があり、このような場合、現在のカギ装置の保管場所を特定することができれば、カギ装置を正確に管理することができて都合が良い。
【０００４】
そこで、カギ装置を管理するためのＩＣチップを組み込み一体化し、プラスチック成形品としたＩＣチップ内蔵型のタグキーが実用化されている。
【０００５】
ところが、既存のカギをそのまま利用して、ＩＣチップを付与することにより安価にカギ装置として構成し、正確にカギを管理する方法はとられていないのが実情である。
【発明の概要】
【発明が解決しようとする課題】
【０００６】
本発明はこのような点を考慮してなされたものであり、従来使用していたカギをそのまま活かし、新規にカギ部分を製作することなく安価にその保管場所を特定して正確に管理することができるカギ装置を提供することを目的とする。
【課題を解決するための手段】
【０００７】
本発明は、一方の保持体と、一方の保持体にヒンジ部を介して連結された他方の保持体と、一方の保持体と他方の保持体との間に挟持されたカギおよびＩＣチップを含むインレットとを備えたことを特徴とするカギ装置である。
【０００８】
本発明は、一方の保持体および他方の保持体のいずれか一方にインレット用凹部が形成され、インレットはこのインレット用凹部内に収納されていることを特徴とするカギ装置である。
【０００９】
本発明は、インレットはインレット基材と、インレット基材上に設けられたＩＣチップおよびアンテナとを含むことを特徴とするカギ装置である。
【００１０】
本発明は、一方の保持体および他方の保持体に連結ひもを挿通する開孔が形成されていることを特徴とするカギ装置である。
【００１１】
本発明は、一方の保持体および他方の保持体に形成された開孔は、互いに嵌合可能となっていることを特徴とするカギ装置である。
【発明の効果】
【００１２】
以上のように本発明によれば、ＩＣタグに記憶されたカギ装置の情報を読み取ることにより、当該カギ装置の現在位置を容易に特定することができる。
【図面の簡単な説明】
【００１３】
【図１】図１は本発明によるカギ装置の一実施の形態を示す展開図。
【図２】図１に示すカギ装置を裏面からみた図。
【図３】図３（ａ）は折り畳まれたカギ装置を示す図、図３（ｂ）は図３（ａ）に示すカギ装置を示す側面図。
【図４】図４はＩＣチップを含むインレットを示す断面図。
【図５】図５はカギ装置の作用効果を示す図。
【発明を実施するための形態】
【００１４】
以下、図面を参照して本発明の実施の形態について説明する。
【００１５】
図１乃至図５は本発明によるカギ装置の一実施の形態を示す図である。
【００１６】
図１乃至図５に示すように、カギ装置３０は一方の保持体３１と、一方の保持体３１にヒンジ部３２を介して連結された他方の保持体３３とを備え、一方の保持体３１と他方の保持体３３との間に、カギ４０と、ＩＣチップ２３を含むインレット２０とが挟持されている。
【００１７】
このうち、一方の保持値３１、ヒンジ部３２および他方の保持体３３は、例えばＰＰ、ＡＢＳ製となっており、一体に成形される。
【００１８】
また一方の保持体３１および他方の保持体３３には、各々カギ４０の基端部４０を収納するカギ収納部３１ａ，３３ａが形成されている。このうちカギ収納部３１ａにはカギ４０の開孔４０ｃに係合する突起３１ｂが設けられ、カギ収納部３３ａには突起３１ｂが嵌合する嵌合部３３ｂが設けられている。
【００１９】
そしてカギ４０の基端部４０ａを一方の保持体３１のカギ収納部３１ａ内に収納し、一方の保持体３１に他方の保持体３３をヒンジ部３２を介して折畳むことにより、一方の保持体３１および他方の保持体３３のカギ収納部３１ａ，３３ａ内にカギ４０の基端部４０ａを収納して保持することができる。この場合、カギ４０の開孔４０ｃ内に一方の保持体３１の突起３１ｂが挿通して係合し、この突起３１ｂは他方の保持部３３の嵌合部３３ｂに嵌合する。この状態において、カギ４０の先端部４０ｂが、一方の保持体３１と他方の保持体３３の外方へ突出する。
【００２０】
また、一方の保持体３１には、後述するインレット２０を収納するインレット用凹部３４が形成され、他方の保持体３３にはインレット２０の突出部２０ａを収納する溝３５が形成されている。
【００２１】
さらに一方の保持体３１の一対の側縁には係止部３８が設けられ、他方の保持体３３の一対の側縁には係止部３８と係合する係合部３９が設けられている。
【００２２】
また一方の保持体３１および他方の保持体３３には、連結ひも（図示せず）が挿通される開孔３６，３７が各々設けられている。これら一方の保持体３１の開孔３６と、他方の保持体３３の開孔３７も、各々の周囲が互いに嵌合可能となっており、開孔３６，３７同士が嵌合することにより、一方の保持体３１と他方の保持体３３が堅固に固定される。
【００２３】
次に一方の保持体３１に設けられたインレット用凹部３４内に収納されるインレット２０について述べる。インレット２０は図４に示すようにインレット基材２１と、インレット基材２１上に設けられたＩＣチップ２２と、インレット基材２１上に設けられ、ＩＣチップ２２に接続されたアンテナ２３と、ＩＣチップ２２およびアンテナ２３を覆って設けられたカバー層２４とを有している。
【００２４】
インレット２０のうち、ＩＣチップ２２に対応するカバー層が外方へ突出して突出部２０ａを形成している。
【００２５】
次に各構成部材の材料について説明する。一方の保持体３１、ヒンジ部３２および他方の保持体３３はいずれもＡＢＳ樹脂からなり、一体に成形されている。またインレット２０のインレット基材２１はＰＥＴからなり、アンテナ２３はアルミニウム製となっている。またカバー層２４はＰＥＴ製となっている。
【００２６】
次にこのような構成からなる本実施の形態の作用について述べる。
【００２７】
まずインレット基材２１と、インレット基材２１上に設けられたＩＣチップ２２およびアンテナ２３と、カバー層２４とを有するインレット２０を準備する。またヒンジ部３２を介して連結された一方の保持体３１と他方の保持体３３を準備し、一方の保持体３１のインレット用凹部３４内にインレット２０を収納する。この場合、インレット２０の突出部２０ａは他方の保持体３３側を向く。
【００２８】
次に一方の保持体３１のカギ収納部３１ａ内にカギ４０の基端部４０ａを収納し、カギ４０の開孔４０ｃに一方の保持体３１の突起３１ｂを挿通する。
【００２９】
その後、一方の保持体３１に対して他方の保持体３３を折り畳み、一方の保持体３１の係止部３８と他方の保持体３３の係合部３９とを係合させ、一方の保持体３１と他方の保持体３３を堅固に固定する。
【００３０】
この状態において、一方の保持体３１の突起３１ｂは他方の保持体３３の嵌合部３３ｂに嵌合する。またインレット２０の突出部２０ａは他方の保持体３３に設けられた溝３５内に収納される。
【００３１】
またカギ４０の先端部４０ｂは、一方の保持体３１と他方の保持体３３の外方へ突出する。
【００３２】
このようにして一方の保持体３１と、他方の保持体３３と、一方の保持体３１と他方の保持体３３との間に挟持されたカギ４０およびインレット２０とを有するカギ装置３０が得られる。このような構成からなるカギ装置３０は、その後保管板１１に設けられたポケット１２内に保管される（図５参照）。
【００３３】
ポケット１２内には、カギ装置３０に設けられたインレット２０のＩＣチップ２２の情報を読み取るリーダ／ライタ１５が内蔵されており、リーダ／ライタ１５によりＩＣチップ２０の情報を読み取ることにより、カギ装置３０の現在位置を確実に特定することができる。このためカギ装置３０の現在位置を特定することにより、カギ装置３０の保管および管理を容易に行うことができる。
【００３４】
なお、上記実施の形態において、カギ装置３０を保管板１１に設けられたポケット１２内に保管した例を示したが、これに限らず一方の基体３１と他方の基体３３に設けられた開孔３６，３７内に連結ひも（図示せず）を挿通し、この連結ひもを保管板１１に設けられたフック（図示せず）に引掛けてカギ装置３０を保管板１１に吊下げてもよい。この場合、保管板１１のうちカギ装置３０の裏面に、ＩＣチップ２２の情報を読み取るリーダ／ライタを内蔵しておく。
【符号の説明】
【００３５】
１１  保管板
１２  ポケット
１５  リーダ／ライタ
２０  インレット
２０ａ  突出部
２１  インレット基材
２２  ＩＣチップ
２３  アンテナ
２４  カバー層
３０  カギ装置
３１  一方の保持体
３２  ヒンジ部
３３  他方の保持体
３４  インレット用凹部
３５  溝
３６，３７  開孔
３８  係止部
４０  カギ
【図１】
2013181372.tif 000003
【図２】
2013181372.tif 000004
【図３】
2013181372.tif 000005
【図４】
2013181372.tif 000006
【図５】
2013181372.tif 000007